(57)【要約】【課題】マウント形状および電気・光学インターフェースの異なるレンズとカメラを取り付けることを可能なレンズ支持装置を提供すること。【解決手段】レンズとカメラの間に配置され、前記レンズを三脚の支持部材に支持させるレンズ支持装置において、前記レンズを取り付けるための第１のマウント部と、前記カメラを取り付けるための第２のマウント部と、前記レンズ駆動用の電源を入力するための電源入力部と、前記レンズおよび前記カメラからの通信データを変換するための通信データ変換部と、を有することを特徴とする。【選択図】図１
2016157034.tif 000002
【特許請求の範囲】
【請求項１】
レンズとカメラの間に配置され、前記レンズを三脚の支持部材に支持させるレンズ支持装置において、
前記レンズを取り付けるための第１のマウント部と、
前記カメラを取り付けるための第２のマウント部と、
前記レンズ駆動用の電源を入力するための電源入力部と、
前記レンズおよび前記カメラからの通信データを変換するための通信データ変換部と、を有することを特徴とするレンズ支持装置。
【請求項２】
前記レンズ支持装置は、前記第１のマウント部と前記第２のマウント部の間に、フランジバック変換用レンズ群を有することを特徴とする請求項２に記載のレンズ支持装置。
【請求項３】
前記レンズ支持装置は、前記レンズ用に使用可能な電圧を出力するバッテリと、前記電源入力部からの電源と前記バッテリからの電源を切替えるための電源切替え部を有することを特徴とする請求項１に記載のレンズ支持装置。
【請求項４】
前記レンズ支持装置は、前記カメラに対して、デジタルズーム機能を指示するための信号を出力することを特徴とする請求項１に記載のレンズ支持装置。
【請求項５】
前記レンズ支持装置は、前記第１のマウント部に配置された電気接点あるいは、前記第２のマウント部に配置された電気接点のいずれかがＦＰＣに実装されていることを特徴とする請求項１に記載のレンズ支持装置。
【発明の詳細な説明】
【技術分野】
【０００１】
本発明は、レンズを支持するためのレンズ支持装置に関する。
【背景技術】
【０００２】
従来、放送用レンズを使用する際には、放送用テレビカメラを取り付けて使用していた。撮影条件によっては、レンズサポータを用いて、大型の放送用レンズと肩担ぎ可能な放送用ハンディカメラを取り付けて使用していた（特許文献１参照）。
【０００３】
また近年、放送用機材の小型化および低価格化に対する要求がさらに強くなり、動画撮影機能付きの静止画撮影用カメラに、静止画撮影用交換レンズを取り付けて、映画などを撮影する場合があった。
【先行技術文献】
【特許文献】
【０００４】
【特許文献１】特開2005-148330号公報
【発明の概要】
【発明が解決しようとする課題】
【０００５】
しかしながら、上記従来の方法では、レンズとカメラを取り付けるマウント部の形状が放送用レンズ/カメラと静止画撮影用レンズ/カメラでは異なっていた。さらに、電源電圧や通信プロトコルなどの電気的インターフェースや、フランジバックやイメージサイズなどの光学的インターフェースも異なっていた。
【０００６】
そのため、放送用レンズには放送用カメラ、動画撮影機能付きの静止画撮影用カメラには、静止画撮影用交換レンズしか取り付けることができなかった。従来にない新たな映像表現を実現するために、放送用レンズ/カメラと静止画撮影用レンズ/カメラの互換性を実現する対策が望まれていた。
【０００７】
本発明の目的は、マウント形状および電気・光学インターフェースの異なるレンズとカメラを取り付けることを可能なレンズ支持装置を提供することにある。
【課題を解決するための手段】
【０００８】
上記の目的を達成するために、本発明は、レンズとカメラの間に配置され、レンズを三脚などの支持部材に支持させるレンズ支持装置において、前記レンズを取り付けるための第1のマウント部と、前記カメラを取り付けるための第2のマウント部と、前記レンズの駆動用電源を入力するための電源入力部と、前記レンズおよび前記カメラからの通信データを変換するための通信データ変換部を有することを特徴とする。
【発明の効果】
【０００９】
本発明のレンズ支持装置によれば、マウント形状および電気・光学インターフェースの異なるレンズとカメラを取り付けることを可能とする効果が得られる。
【図面の簡単な説明】
【００１０】
【図１】第1の実施例の構成図である。
【図２】第1の実施例の動作を説明するためのフローチャートである。
【図３】第２の実施例の構成図である。
【発明を実施するための形態】
【００１１】
［実施例１］
以下に、本発明の実施の形態を添付図面に基づいて詳細に説明する。
【００１２】
図１は本発明を適用できる第1の実施例におけるレンズ支持装置を含むシステムの構成図である。
【００１３】
１００は不図示の放送用カメラに着脱可能なレンズ駆動ユニット付きの放送用レンズであり、２００はレンズ支持装置、３００は不図示の静止画撮影用交換レンズを着脱可能な動画撮影機能付き静止画撮影用カメラ（以後、静止画用カメラとする）である。４００は、放送用レンズ１００およびレンズ支持装置２００に電源を供給するための外部電源である。
【００１４】
そして１０１は、被写体像の焦点を調節するためのフォーカス部であり、１０２はフォーカス部１０１の位置を検出するための位置検出部、１０３は位置検出部１０２などに電源を供給するためのレンズ電源部である。つぎに１０４は、不図示の放送用カメラとデータ通信を実施するためのレンズ通信部であり、１０５はフォーカス部１０１を制御するためのレンズ制御部である。さらに１０６は、レンズ制御部１０５の出力に応じて、フォーカス部１０１を駆動するためのモータであり、１０７は不図示の放送用カメラに取り付けるための放送用レンズマウントである。
【００１５】
つづいて２０１は、放送用レンズ１００を取り付けるための放送用カメラマウントであり、２０２は、静止画用カメラ３００を取り付けるための静止画撮影用レンズマウントである。そして２０３は放送用レンズ１００のフランジバックを静止画撮影用レンズ相当のフランジバックに変換するためのフランジバック変換レンズ群であり、２０４は外部から電源を入力するための電源入力部である。つぎに２０５は、レンズ支持装置２００および放送用レンズ１００に電源を供給するための着脱可能なバッテリである。
【００１６】
２０６は、レンズ支持装置２００および放送用レンズに供給する電源を切替るための電源切替え部であり、２０７はレンズ支持装置２００および放送用レンズ１００に供給する電源を選択するための切替えスイッチである。２０８は、放送用レンズ１００および静止画用カメラ３００と通信をするための通信制御部である。
【００１７】
つづいて３０１は静止画撮影用レンズを取り付けるための静止画撮影用カメラマウントであり、３０２は静止画用カメラ３００の諸機能を制御するためのカメラ制御部、３０３は不図示の静止画撮影用交換レンズと通信するためのカメラ通信部である。本実施例では、レンズ支持装置２００の通信制御部２０８をＣＰＵ２１０にて実現をしている。
【００１８】
以下に図２のフローチャートに沿って、ＣＰＵ２１０により実現した通信制御部２０８の動作を詳細に説明する。まず静止画用カメラ３００に配置された不図示の電源スイッチがONになり、かつ外部電源４００から電源入力部２０４に電源が供給されるとＣＰＵ２１０はS101にすすみ、静止画用カメラ３００との通信を初期化する。このとき、切替えスイッチ２０７は、外部電源モードに設定されているとする。つぎに静止画用カメラ３００との通信初期化が完了したなら、S102にすすみ、放送用レンズ１００との通信を初期化し、初期化が完了したなら、S103にすすみ、切替えスイッチ２０７の状態を入力する。
【００１９】
S103において、切替えスイッチ２０７が外部電源モードに設定されている場合は、S104にすすみ、電源切替え部２０６を外部電源モードに維持する。一方、S103において切替えスイッチ２０７がバッテリモードに設定されている場合は、S105にすすみ、電源切替え部２０６をバッテリモードに切替え、バッテリ２０５から各部に電源を供給する。このように外部電源４００あるいはバッテリ２０５の電源をレンズ支持装置２００および放送用レンズ１００に供給することにより、静止画用カメラ３００の電源電圧が低い場合や、供給電力が少ない場合も放送用レンズ１００を駆動することが可能となる。
【００２０】
図２の説明に戻る。S104およびS105にすすんだＣＰＵ２１０は、いずれの場合もS106にすすみ、静止画用カメラ３００から通信コマンドを受信したか否かを判断する。S106において静止画用カメラ３００から通信コマンドを受信した場合は、S107にすすみ、静止画用カメラ３００から受信した通信コマンドを放送用レンズ送信コマンドに変換する。そしてS108では、変換した放送用レンズ送信コマンドを放送用レンズ１００に送信し、S109にすすむ。
【００２１】
このように、通信プロトコルの異なる通信データをレンズ支持装置に配置した通信制御部２０８において、異なる通信プロトコルに適合するようにデータ変換することにより、放送用レンズ１００と静止画用カメラ３００間の通信が可能になる。一方S106において、静止画用カメラ３００から通信コマンドを受信しなかった場合は、何もせずS109にジャンプする。
【００２２】
つぎにS109にすすんだＣＰＵ２１０は、放送用レンズ１００からコマンドを受信したか否かを判断する。S109において放送用レンズ１００からコマンドを受信した場合は、S110にすすみ放送用レンズ１００から受信したコマンドを静止画用カメラ送信コマンドに変換する。そしてS111にすすみ、変換した静止画用カメラ送信コマンドを静止画用カメラ３００に送信し、S103にジャンプする。一方S109において、放送用レンズ１００から通信コマンドを受信しなかった場合は、何もせずS103にジャンプする。
【００２３】
また静止画用カメラ３００に配置された不図示の電源スイッチをONする際に、切替スイッチ２０７がバッテリモードに設定されており、バッテリ２０５が充電された状態でも同様の効果を得ることができる。
【００２４】
以後、レンズ支持装置２００への電源供給が切断されるまで、S103からS111を繰り返し実行する。
【００２５】
［実施例２］
図３は本実施例におけるレンズ支持装置を含むシステムの構成図である。図１と同じ構成要素には、図１と同じ符号を付したので、説明は省略する。
【００２６】
５００は不図示の動画撮影機能付き静止画撮影用カメラに着脱可能な静止画撮影用交換レンズ（以後は、静止画用レンズとする）であり、６００はレンズ支持装置、７００は不図示の放送用レンズを着脱可能な放送用カメラである。５０１は、不図示の動画撮影機能付き静止画撮影用カメラとデータ通信するためのレンズ通信部であり、５０２は、不図示の動画撮影機能付き静止画撮影用カメラに取り付けるための静止画撮影用交換レンズマウントである。
【００２７】
つぎに６０１は、静止画用レンズ５００を取り付けるための静止画撮影用交換レンズマウントであり、６０２は、放送用カメラ７００を取り付けるための放送用レンズマウントである。さらに６０３は静止画用レンズ５００のフランジバックを放送用レンズ相当のフランジバックに変換するためのフランジバック変換レンズ群である。６０４は、静止画用レンズ５００をレンズ支持装置６００と接続するための、レンズ支持部であり、７０１は、放送用レンズを取り付けるための放送用カメラマウントである。
【００２８】
ＣＰＵ２１０で実現した通信制御部２０８の動作は、第1の実施例と同じであるので説明を省略する。
【００２９】
このように、通信プロトコルの異なる通信データをレンズ支持装置に配置した通信制御部２０８において、異なる通信プロトコルに適合するようにデータ変換することにより、静止画用レンズ５００と放送用カメラ７００間の通信が可能になる。
【符号の説明】
【００３０】
１００  放送用レンズ、１０１  フォーカス部、１０２  位置検出部、
１０３  レンズ電源部、１０４  レンズ通信部、１０５  レンズ制御部、
１０６  モータ、２００  レンズ支持装置、２０１  放送用カメラマウント、
２０２  静止画撮影用レンズマウント、２０３  フランジバック変換レンズ群、
２０４  電源入力部、２０５  バッテリ、２０６  電源切替え部、
２０７  切替えスイッチ、２０８  通信制御部、
３００  動画撮影機能付き静止画撮影用カメラ、３０１  静止画撮影用カメラマウント、
３０２  カメラ制御部、３０３  カメラ通信部、４００  外部電源
【図１】
2016157034.tif 000003
【図２】
2016157034.tif 000004
【図３】
2016157034.tif 000005